(57)【要約】【課題】    会員制のコンピュータネットワーク上で、物品の譲渡取引がなされた場合であっても、金銭を授受することなく、譲渡人と譲受人の双方が満足できる取引形態を提供するとともに、目的を消尽した該対象物を、順次、他の会員へ譲渡することを繰り返して、全ての会員に対して、譲り受けの機会を均等に与える。【解決手段】購入目的を消尽した物品を、会員にのみアクセスを認容したコンピュータネットワークを介して、会員が他の会員に譲渡する意向を告知して、該物品の購入を希望する他の会員に、ポイントと引き換えに譲渡し、譲渡会員から該物品の譲渡を受けた譲受会員は、コンピュータネットワークを運営、管理する経営主体に対し、現金を納付して、引き換えに、減少したポイントの補充を受け、譲渡会員は、譲渡によって生じたポイントの余剰分を経営主体に、経営主体が任意に選好した、あるいは譲り渡し会員自身が所望する物品と引き換えに返納する。【選択図】  図１
2005135357.tif 000002
【特許請求の範囲】
【請求項１】
特定の物品を嗜好する者同士によって構成される会員制の、営利目的あるいは非営利目的の任意の団体において、会員自身の選好によって購入し、外形的形状及び機能を維持しつつ、その購入目的を消尽した物品を、当該団体の会員にのみアクセスを認容したコンピュータネットワークを介して、前記会員が他の会員に購入目的を消尽した物品を譲渡する意向をサーバーコンピュータが提供する閲覧ページによって告知して、クライアントコンピュータの閲覧ソフトウェアによって該閲覧ページに告知された情報を得た、前記物品の購入を希望する他の会員に、当該団体から事前に全ての会員に一定数を均等に、あるいは所望するだけを有償供与されている、当該団体の規約によって定めた、縮減率を価格に乗じて置換した点数と引き換えに譲渡し、譲り渡し会員から該物品の譲渡を受けた譲り受け会員は、当該団体を運営、管理する経営主体に対し、縮減率によって換価した現金を支払い、引き換えに、減少した点数に相当する分の点数の補充を受け、該物品を譲渡した譲り渡し会員は、譲渡によって生じた点数の余剰分を当該団体の経営主体に、経営主体が任意に選好した、あるいは譲り渡し会員自身が所望する物品と引き換えに返納することを特徴とするコンピュータネットワークを利用した擬似的会員制物品共有システム。
【請求項２】
請求項１記載のコンピュータネットワークを利用した擬似的会員制物品共有システムであって、物品の譲渡にともなう点数の移動に際して、当該団体の経営主体が、当該団体の運営、管理のための必要経費として、該点数から一定割合の点数を手数料として徴収することを特徴とするコンピュータネットワークを利用した擬似的会員制物品共有システム。
【請求項３】
請求項１記載のコンピュータネットワークを利用した擬似的会員制物品共有システムであって、請求項１記載の縮減率を価格に乗じて置換した点数は、物品の実売価格、あるいは定価、あるいは購入価格に、会員の合意に基づく任意の値引き率を乗じた積を、任意の呼称を有する点数単位とすることを、予め当該団体の規約によって定め、当該団体の経営主体が管理するサーバーコンピュータによって管理、運用されて、会員にのみアクセスを認容しているコンピュータネットワークを介して、会員によって自身が有する残高を随時、確認されるものであることを特徴とするコンピュータネットワークを利用した擬似的会員制物品共有システム。
【請求項４】
請求項１記載のコンピュータネットワークを利用した擬似的会員制物品共有システムであって、譲り渡し会員から所望する物品の譲渡を受けた譲り受け会員に対し、相当な期間経過後、当該団体の経営主体は他の会員から該物品の譲り受け希望が寄せられたことを確認して、譲り受けた物品の再譲渡を促すことを特徴とするコンピュータネットワークを利用した擬似的会員制物品共有システム。
【請求項５】
請求項１記載のコンピュータネットワークを利用した擬似的会員制物品共有システムであって、請求項１、請求項２、請求項３、請求項４を実行するコンピュータプログラム。
【発明の詳細な説明】
【技術分野】
【０００１】  コンピュータネットワークを利用した会員制物品売買システムに関する。
【背景技術】
【０００２】  いわゆる同好の士によって構成され、運用、管理されている限定的コンピュータネットワークにおいては、嗜好する対象物の情報交換と、有償又は無償による譲渡、物々交換等、様々な形態の譲渡行為がなされているが、それらには一定した交換基準が存在せず、特に有償譲渡の際には紛争が生じることが多くあり、また、多くの対象物を蓄蔵し、譲渡したいと欲する者と、多くの対象物の譲り受けを欲する者とでは、コンピュータネットワークを利用するメリットが感じられず、両者の間で直接取り引きをおこなう結果となって、他の会員の譲り受けの機会を失って、不公平感を生じる結果を招いている。
また、多くの対象物を蓄蔵し、譲渡したいと欲する者が、故買事業者に直接、売却をおこなう場合には、予定価格を大幅に下回ることを覚悟せねばならず、結果として、対象物の蓄蔵を続けることとなって、対象物の譲り受けを希望する者の手に渡ることはなくなり、仮に、故買事業者に売却したとしても、故買事業者の掛け値によっては、対象物の譲り受けを希望する者は法外な価格によって購入せねばならなくなる。
【発明の開示】
【発明が解決しようとする課題】
【０００３】  いわゆる同好の士によって構成され、運用、管理されている限定的コンピュータネットワーク上で、嗜好する対象物の取引がなされた場合であっても、金銭を授受することなく、譲渡人と譲受人の双方が満足できる取引形態を提供するとともに、目的を消尽した該対象物を、順次、他の会員へ譲渡することを繰り返して、全ての会員に対して、譲り受けの機会を均等に与える。
【課題を解決するための手段】
【０００４】  請求項１記載の発明は、会員自身の選好によって購入し、外形的形状及び機能を維持しつつ、その購入目的を消尽した物品を、当該団体の会員にのみアクセスを認容したコンピュータネットワークを介して、前記会員が他の会員に譲渡する意向をサーバーコンピュータが提供する閲覧ページによって告知して、クライアントコンピュータの閲覧ソフトウェアによって該閲覧ページに告知された情報を得た、前記物品の購入を希望する他の会員に、当該団体から事前に全ての会員に一定数を均等に、あるいは所望するだけを有償供与されている、当該団体の規約によって定めた縮減率を価格に乗じて置換した点数と引き換えに譲渡し、譲り渡し会員から該物品の譲渡を受けた譲り受け会員は、当該団体を運営、管理する経営主体に対し、縮減率によって換価した現金を支払い、引き換えに、減少した点数に相当する分の点数の補充を受け、該物品を譲渡した譲り渡し会員は、譲渡によって生じた点数の余剰分を当該団体の経営主体に、経営主体が任意に選好した、あるいは譲り渡し会員自身が所望する物品と引き換えに返納するものであるよう構成される。【０００５】  請求項２記載の発明は、物品の譲渡にともなう点数の移動に際して、当該団体の経営主体が、当該団体の運営、管理のための必要経費として、該点数から一定割合の点数を手数料として徴収するものであるよう構成される。【０００６】  請求項３記載の発明は、請求項１記載の縮減率を有する点数は、物品の実売価格、あるいは定価、あるいは購入価格に、会員の合意に基づく任意の値引き率、例えば０．１５から０．９５程度の値を価格に乗じて縮減した積を、任意の呼称を有する点数単位とすることを、予め当該団体の規約によって定め、当該団体の経営主体が管理するサーバーコンピュータによって管理、運用されて、会員にのみアクセスを認容しているコンピュータネットワークを介して、会員によって自身が有する残高を随時、確認されるものであるよう構成される。【０００７】  請求項４記載の発明は、譲り渡し会員から所望する物品の譲渡を受けた譲り受け会員に対し、相当な期間経過後、当該団体の経営主体は他の会員から該物品の譲り受け希望が寄せられたことを確認して、譲り受けた物品の再譲渡を促すものであるよう構成される。【０００８】  請求項５記載の発明は、請求項１、請求項２、請求項３、請求項４を実行するコンピュータプログラムによって構成される。
【発明の効果】
【０００９】  本発明は上記のように構成されているので、会員間の譲渡行為には金銭の授受がともなわないことにより、金銭にまつわる紛争が発生せず、譲渡人は故買事業者に売却するよりも多くのメリットを得られ、譲受人は故買事業者から購入するよりも安価に譲り受けることが実現でき、また、譲り受けた物品、あるいは蓄蔵又は死蔵している物品の再譲渡を促すことから、譲り受け機会が全ての会員に対し均等に与えられ、該物品があたかも全会員によって共有されているかのごとく流動化が促進される。
【発明を実施するための最良の形態】
【００１０】  インターネット上に、会員に供与した暗証コードによってのみ接続を認容するＷＥＢサーバーコンピュータを開設し、一方の会員が自己のクライアントコンピュータから、物品の譲り渡しを告知するデータを送信し、他方の会員は自己のクライアントコンピュータに搭載されたブラウザソフトウェアによってその告知内容を閲覧し、該物品が所望する物品であって、付属条件が合致するものであればサーバーコンピュータに対して発注メールを送信する。【００１１】  前記によって、発注メールを受け取ったサーバーコンピュータは譲り渡し会員に対し、注文メールを送信し、同時に該物品に対する取引が成立したことを告知する閲覧ページを生成して他の会員に告知する。同一物品に複数の発注があった場合には先着順とする。【００１２】  前記の取引成立によって、当事者間で該物品の移転が物流システムによって実行されると同時に、サーバーコンピュータは当該団体の経営主体から有償供与された、譲り受け会員の保有点数から、該物品に付せられた点数に相当する点数を減じ、更に、手数料を減じた差分を、譲り渡し会員の保有点数に付加する。【００１３】  前記の処理によって、一方的に保有点数が減少した会員は、当該団体の経営主体から新たな点数の有償供与を受け、一方的に保有点数が増加した会員は、剰余点数を換価した物品、例えば、当該団体の経営主体が選好した物品、あるいは会員が所望した物品と引き換えに剰余点数を当該団体の経営主体に返納する。【００１４】  取引による点数の移転によって全ての処理は完了するが、当該団体の経営主体は他の会員からの該物品の購入希望が確認された場合には、相当な期間経過後、譲り受け会員に対し該物品の再譲渡を促す。これらの処理は専用ログファイル、例えば、リクエストファイルごときを生成して、譲り受けリクエストが書き込まれ、一定の時間経過後、サーバーコンピュータによって自動的に再譲渡を促すメールが生成され、送信することで実行される。
【実施例１】
【００１５】  図１は対象物品を古書とした場合の譲渡取引処理シーケンスの例を示す図であって、譲り渡し会員１は、自身が選好して購入した書籍の読了後、該書籍を他の会員への譲り渡しを発意して、自身が使用するクライアントコンピュータから経営主体が運用、管理するサーバーコンピュータ２へ譲り渡し告知メールを送信する（Ｓ１）。【００１６】  譲り渡し告知メールを受信したサーバーコンピュータ２は該書籍が譲り渡し対象品になったことを告知する閲覧用ページを生成する（Ｓ２）。【００１７】  前記によって生成されたページを閲覧した（Ｓ３）、該物品の購入を所望する会員、すなわち、譲り受け会員３は、自身が使用するクライアントコンピュータから経営主体が運用、管理するサーバーコンピュータ２へ発注メールを送信する（Ｓ４）。【００１８】  サーバーコンピュータ２は受信した発注メールを譲り渡し会員に対する注文メールに変換して譲り渡し会員１が使用するクライアントコンピュータに送信する（Ｓ５）。【００１９】  発注メールを譲り渡し会員への注文メールに変換すると同時に、この処理を譲渡取引成立とみなし、譲渡取引完了までの仮ファイルを生成して、両者の現有点数、いわゆるポイントを併記するとともに、譲渡取引が成立したことを告知する閲覧ページを生成して、他の会員に告知する（Ｓ７）。【００２０】  サーバーコンピュータ２から注文メールを受け取った譲り渡し会員１は、該メールに記載された発注条件及び発注者である譲り受け会員３の情報を確認し（Ｓ６）、該物品を譲り受け会員３宛てに送達し（Ｓ８）、発送したことを知らせるメールをサーバーコンピュータ２宛てに送信する（Ｓ９）。該メールはサーバーコンピュータ２によって前記仮ファイルに書き込まれる。【００２１】  所望する該物品を受け取った（Ｓ１０）譲り受け会員３は、物品を受領したことを知らせるメールをサーバーコンピュータ２宛てに送信する（Ｓ１１）。該メールはサーバーコンピュータ２によって前記仮ファイルに書き込まれる。【００２２】  発送済みメールと受領済みメールが仮ファイルに書き込まれたことを以って、譲渡取引が完了したと判断し、両者の現有ポイントの付け替え（Ｓ１２）、すなわち、譲り受け会員３のポイントを減じ、譲り渡し会員１には、手数料を徴収した（Ｓ１３）差分ポイントを加え、前記仮ファイルの内容は、ログファイルに転記され、ポイントの増減はそれぞれの個人ファイルに記録され、仮ファイルは削除される。【００２３】  会員ごとの現有ポイントは、随時、閲覧されるものであって、譲り渡し会員による残高確認（Ｓ１４）、あるいは譲り受け会員による残高確認（Ｓ１５）によって、それぞれのポイントの残高が閲覧ページに表示される（Ｓ１６）。【００２４】  譲り渡しによって、ポイント残高が増加した譲り渡し会員１は、余剰ポイントを返納する旨をメールによって経営主体に通告し（Ｓ１７）、譲り受けによって、ポイントが減少した譲り受け会員は、その補充をメールによって経営主体に申し出て（Ｓ１８）、ポイントの補充を受け（Ｓ１８）、ポイントを縮減率によって逆算した換価額を経営主体に納付する（Ｓ２０）。【００２５】  経営主体は前記によって納付された金銭を内部留保し（Ｓ２１）、��要に応じて一般市場において販売されている書籍或いは書籍以外の市場品を調達し（Ｓ２２）、返納されたポイントに相当する市場品を、譲り渡し会員３へ宅配し（Ｓ２３）、譲り渡し会員３は返納したポイントに相当する市場品を入手する（Ｓ２４）。
【産業上の利用可能性】
【００２６】  インターネット上に、特定物品を嗜好する会員のみにアクセスを認容する、限定的ネットワーク空間を生成し、外形的形状と機能を維持しつつも、購入目的を消尽した物品の譲り渡しを希望する会員には、故買事業者に売却するよりも多くのメリットを、該物品の譲り受けを希望する会員には故買事業者から購入するよりも安く購入することができ、なおかつ、会員間で再譲渡を繰り返すことにより、全ての会員が該物品の利用あるいは、その目的の消尽が可能となり、物品の蓄蔵、あるいは死蔵を減らし、結果として、各会員における物品格納スペースの省スペース化が図れる。
【図面の簡単な説明】
【００２７】
【図１】対象物品を古書とした場合の譲渡処理シーケンスの例を示す図である。（実施例１）
【符号の説明】
【００２８】    １  譲り渡し会員又は譲り渡し会員が使用するクライアントコンピュータ
２  経営主体又は経営主体が備えるサーバーコンピュータ
３  譲り受け会員又は譲り受け会員が使用するクライアントコンピュータ
2005135357.tif 000003
【図１】
2005135357.tif 000004